(57)【要約】  【課題】部品点数や組立工数の増大を招くことなく、隙間なく並行配置状態と直角配置状態とを自在に選択しつつ安定して設置できるシェルフシステムを実現する。  【解決手段】ベース１１、２１の奥行方向両端面１１ａ、１１ｂ、２１ａ、２１ｂが、棚板１６、２６の対応する奥行方向の端面１６ａ、１６ｂ、２６ａ、２６ｂよりもそれぞれ所定の共通平面視寸法ｄ１だけ外側に位置する第１及び第２のシェルフ１、２を具備し、シェルフ１、２が並行配置状態（Ｐ）と直角配置状態とのいずれかを選択的にとり得るシェルフシステムＳにおいて、第１のシェルフ１の少なくとも幅方向一端側においてベース１１の端面１１ｃを共通平面視寸法ｄ１だけ棚板１６の端面１６ｃよりも外側に位置させるとともに、第２のシェルフ２の少なくとも幅方向一端側においてベース２１の端面２１ｃを共通平面視寸法ｄ１だけ棚板２６の端面２６ｃよりも内側に位置させる。【選択図】図２
2019025101.tif 000002
【特許請求の範囲】
【請求項１】
平面視四角形状をなすベースと、このベース上に奥行方向中央を合致させて配された平面視四角形状をなす棚板と具備してなり、前記ベースの奥行方向両端面が、前記棚板の対応する奥行方向の端面よりもそれぞれ所定の共通平面視寸法だけ外側に位置するように設定された第１及び第２のシェルフを具備し、これらのシェルフが直線的に隣接配置される並行配置状態と、前記シェルフが直角に隣接配置される直角配置状態とのいずれかを選択的にとり得るように構成したシェルフシステムであって、
第１のシェルフの少なくとも幅方向一端側において前記ベースの端面を前記共通平面視寸法だけ前記棚板の端面よりも外側に位置させるとともに、前記第２のシェルフの少なくとも幅方向一端側において前記ベースの端面を前記共通平面視寸法だけ前記棚板の端面よりも内側に位置させているシェルフシステム。
【請求項２】
前記各シェルフが、それぞれ前記ベース上に複数枚の棚板を上下方向に間隔をあけて配してなり、前記ベースと最下段の棚板との間及び各棚板の間にそれぞれ立壁を介設したものであり、前記各シェルフのすべての棚板が平面視において合致する形態をなしており、一方のシェルフの各棚板と、他方のシェルフの対応する棚板とがそれぞれ同一高さに配されている請求項１記載のシェルフシステム。
【請求項３】
前記立壁が、平面視において前記棚板の外縁よりも内側に位置している請求項２記載のシェルフシステム。
【請求項４】
前記第１のシェルフの幅方向他端側において前記ベースの端面を前記棚板の端面と平面視において一致させてあるとともに、前記第２のシェルフの幅方向他端側においても前記ベースの端面を前記棚板の端面と平面視において一致させてある請求項１、２又は３記載のシェルフシステム。
【請求項５】
前記立壁が、前記棚板の幅方向両端近傍に配された両側壁部材と、一方の側壁部材のシェルフ奥行方向一端から前記シェルフ幅方向に延びる前壁部材又は後壁部材とを備えた請求項２又は３記載のシェルフシステム。
【発明の詳細な説明】
【技術分野】
【０００１】
本発明は、少なくとも２台のシェルフを備えたシェルフシステムに関する。
【背景技術】
【０００２】
従来、この種のシェルフシステムとして、ベースと、このベース上に配された棚板とを具備してなるシェルフを少なくとも２台備え、これらのシェルフが直線的に隣接配置される並行配置状態と、前記シェルフが直角に隣接配置される直角配置状態とのいずれかを選択的にとり得るように構成したものが知られている（例えば、特許文献１を参照）。
【０００３】
ところで、従来のこの種シェルフは、前記ベース及び前記棚板が、平面視において同一の寸法形状をなす平面視長方形状のものが一般的であるが、かかる構成のものでは、ベースの奥行寸法が棚板の奥行寸法と同じであるため、棚板の奥行寸法を小さく設定したスリムなシェルフでは不安定さを免れることができず、前記シェルフが前後に転倒するのを抑制するために、転倒防止措置を施す必要が生じることも少なくない。
【０００４】
このような問題に対処するには、前記ベースの奥行寸法を棚板の奥行寸法よりも大きくして安定性を高めることが考えられる。
【０００５】
ところが、このようにベースの奥行寸法と棚板の奥行寸法とを異ならせると、直線配置状態の場合には問題がなくても、直角配置状態にすると不具合が発生する。すなわち、このような構成のものでは、第１のシェルフにおけるベースの奥行方向端面に、第２のシェルフにおけるベースの幅方向端面を突き当てて直角配置状態にすると、第１のシェルフにおける棚板の奥行方向端面と、第２のシェルフにおける棚板の幅方向端面との間に隙間が形成されることになり、棚板の連続性が損なわれる。このような不具合に対処するには、その隙間を埋める補助棚板部材を追加する必要があるが、かかる補助棚板部材の追加は部品点数の増加や組立工数の増大を招くことになる。
【先行技術文献】
【特許文献】
【０００６】
【特許文献１】特開２０１６−０８３０９７号公報
【発明の概要】
【発明が解決しようとする課題】
【０００７】
本発明は、以上の点に着目し、ベースの奥行寸法を棚板の奥行寸法よりも大きくして安定性を高めつつ、部品点数の増加や組立工数の増大を招くことなく、隙間なく並行配置状態と直角配置状態とを自在に選択して設置できるシェルフシステムを実現することを目的とする。
【課題を解決するための手段】
【０００８】
請求項１記載の発明に係るシェルフシステムは、平面視四角形状をなすベースと、このベース上に奥行方向中央を合致させて配された平面視四角形状をなす棚板と具備してなり、前記ベースの奥行方向両端面が、前記棚板の対応する奥行方向の端面よりもそれぞれ所定の共通平面視寸法だけ外側に位置するように設定された第１及び第２のシェルフを具備し、これらのシェルフが直線的に隣接配置される並行配置状態と、前記シェルフが直角に隣接配置される直角配置状態とのいずれかを選択的にとり得るように構成したシェルフシステムであって、第１のシェルフの少なくとも幅方向一端側において前記ベースの端面を前記共通平面視寸法だけ前記棚板の端面よりも外側に位置させるとともに、前記第２のシェルフの少なくとも幅方向一端側において前記ベースの端面を前記共通平面視寸法だけ前記棚板の端面よりも内側に位置させているものである。
【０００９】
請求項２記載の発明に係るシェルフシステムは、請求項１記載の構成のものにおいて、前記各シェルフが、それぞれ前記ベース上に複数枚の棚板を上下方向に間隔をあけて配してなり、前記ベースと最下段の棚板との間及び各棚板の間にそれぞれ立壁を介設したものであり、前記各シェルフのすべての棚板が平面視において合致する形態をなしており、一方のシェルフの各棚板と、他方のシェルフの対応する棚板とがそれぞれ同一高さに配されているものである。
【００１０】
請求項３記載の発明に係るシェルフシステムは、請求項２記載の構成のものにおいて、前記立壁が、平面視において前記棚板の外縁よりも内側に位置しているものである。
【００１１】
請求項４記載の発明に係るシェルフシステムは、請求項１、２又は３記載の構成のものにおいて、前記第１のシェルフの幅方向他端側において前記ベースの端面を前記棚板の端面と平面視において一致させてあるとともに、前記第２のシェルフの幅方向他端側においても前記ベースの端面を前記棚板の端面と平面視において一致させてあるものである。
【００１２】
請求項５記載の発明に係るシェルフシステムは、請求項２又は３記載の構成のものにおいて、前記立壁が、前記棚板の幅方向両端近傍に配された両側壁部材と、一方の側壁部材のシェルフ奥行方向一端から前記シェルフ幅方向に延びる前壁部材又は後壁部材とを備えたものである。
【発明の効果】
【００１３】
本発明によれば、ベースの奥行寸法を棚板の奥行寸法よりも大きくして安定性を高めつつ、部品点数の増加や組立工数の増大を招くことなく、隙間なく並行配置状態と直角配置状態とを自在に選択して設置できるシェルフシステムを実現することができる。
【図面の簡単な説明】
【００１４】
【図１】本発明の一実施形態に係るシェルフシステムの並行配置状態を示す斜視図。
【図２】同実施形態に係るシェルフシステムの並行配置状態を示す平面図。
【図３】同実施形態に係る第１及び第２のシェルフを示す斜視図。
【図４】同実施形態に係る第１のシェルフを示す説明図。
【図５】同実施形態に係る第２のシェルフを示す説明図。
【図６】同実施形態に係るシェルフシステムの並行配置状態を示す斜視図。
【図７】同実施形態に係るシェルフシステムの直角配置状態を示す平面図。
【図８】同実施形態に係るシェルフシステムの直角配置状態を示す平面図。
【図９】本発明の他の実施形態に係るシェルフを示す説明図。
【発明を実施するための形態】
【００１５】
以下、本発明の一実施形態を、図１〜図７を参照しつつ述べる。
【００１６】
本実施形態のシェルフシステムＳは、図１及び図２に示すように、平面視四角形状をなすベース１１、２１と、このベース１１、２１上に奥行方向中央を合致させて配された平面視四角形状をなす棚板１２〜１６、２２〜２６と具備してなり、前記ベース１１、２１の奥行方向両端面１１ａ、１１ｂ、２１ａ、２１ｂが、前記棚板１２〜１６、２２〜２６の対応する奥行方向の端面１２ａ〜１６ａ、１２ｂ〜１６ｂ、２２ａ〜２６ａ、２２ｂ〜２６ｂよりもそれぞれ所定の共通平面視寸法ｄ１だけ外側に位置するように設定された第１及び第２のシェルフ１、２を具備し、これらのシェルフ１、２が直線的に隣接配置される前記図１及び図２に示す並行配置状態（Ｐ）と、前記シェルフ１、２が直角に隣接配置される図６及び図７に示すような直角配置状態（Ｒ）とのいずれかを選択的にとり得るように構成したもので、第１のシェルフ１の少なくとも幅方向一端側において前記ベース１１の端面１１ｃを前記共通平面視寸法ｄ１だけ前記棚板１２〜１６の端面１２ｃ〜１６ｃよりも外側に位置させるとともに、前記第２のシェルフ２の少なくとも幅方向一端側において前記ベース２１の端面２１ｃを前記共通平面視寸法ｄ１だけ前記棚板２２〜２６の端面２２ｃ〜２６ｃよりも内側に位置させている。
【００１７】
前記各シェルフ１、２は、図１〜図７に示すように、それぞれ前記ベース１１、２１上に複数枚の棚板１２〜１６、２２〜２６を上下方向に間隔をあけて配してなり、前記ベース１１、２１と最下段の棚板１２、２２との間及び各棚板１２〜１６、２２〜２６の間にそれぞれ立壁１７〜１９、２７〜２９を介設したもので、前記第１のシェルフ１のすべての棚板１２〜１６、及び前記第２のシェルフ２のすべての棚板２２〜２６がそれぞれ平面視において合致する形態をなしており、一方のシェルフ１の各棚板１２〜１６と、他方のシェルフ２の対応する棚板２２〜２６とがそれぞれ同一高さに配されている。前記第１のシェルフ１の幅方向他端側において前記ベース１１の端面１１ｄを前記棚板１２〜１６の端面１２ｄ〜１６ｄと平面視において一致させてあるとともに、前記第２のシェルフ２の幅方向他端側においても前記ベース２１の端面２１ｄを前記棚板２２〜２６の端面２２ｄ〜２６ｄと平面視において一致させてある。
【００１８】
前記立壁１７〜１９、２７〜２９は、図１及び図３〜図６に示すように、平面視において前記棚板１２〜１６、２２〜２６の外縁よりも内側に位置し、前記棚板１２〜１６、２２〜２６の幅方向両端近傍に配された両側壁部材１７、２７と、一方の側壁部材１７、２７のシェルフ奥行方向一端から前記シェルフ幅方向に延びる前壁部材１８、２８又は後壁部材１９、２９とを備えている。
【００１９】
詳述すれば、前記第１のシェルフ１は、図１〜図４及び図６〜図７に示すように、平面視四角形状をなす前記ベース１１と、このベース１１上に奥行方向中央を合致させて配された平面視四角形状をなす前記棚板１２〜１６と、前記ベース１１と最下段の棚板１２との間及び各棚板１２〜１６の間にそれぞれ介設させた前記立壁１７〜１９とを具備してなる。
【００２０】
前記ベース１１は、具体的には、図１〜図４及び図６〜図７に示すように、奥行寸法よりも幅寸法が大きい平面視長方形状をなし、底面側が開放された扁平箱型のもので、底面四隅にアジャスタ１１１が設けられている。前記ベース１１の上面中央部には内部にアクセスするための窓１１ｘが形成されており、その窓は蓋体１１２により常時塞がれている。
【００２１】
前記棚板１２〜１６は、具体的には、図１〜図４及び図６〜図７に示すように、それぞれ奥行寸法よりも幅寸法が大きい平面視長方形状をなす板状のものである。各棚板１２〜１６は、平面視において同一の寸法形状をなすもので、上下方向に間隔をあけて複数枚が配されている。
【００２２】
このシェルフ１の奥行方向両端側においては、図２、図４及び図７に示すように、前記ベース１１の奥行方向両端面１１ａ、１１ｂが、前記棚板１２〜１６の対応する奥行方向の端面１２ａ〜１６ａ、１２ｂ〜１６ｂよりもそれぞれ所定の共通平面視寸法ｄ１だけ外側に位置するように設定してある。
【００２３】
また、このシェルフ１の幅方向一端側においては、図２、図４及び図７に示すように、前記ベース１１の端面１１ｃを前記共通平面視寸法ｄ１だけ前記棚板１２〜１６の端面１２ｃ〜１６ｃよりも外側に位置させており、他端側においては、前記ベース１１の端面１１ｄを前記棚板１２〜１６の端面１２ｄ〜１６ｄと平面視において一致させてある。
【００２４】
前記立壁１７〜１９は、図１、図３、図４及び図６に示すように、平面視において前記棚板１２〜１６の外縁よりも内側に位置し、前記棚板１２〜１６の幅方向両端近傍に配された両側壁部材１７と、一方の側壁部材１７のシェルフ奥行方向一端から前記シェルフ幅方向に延びる前壁部材１８又は後壁部材１９とを備えている。この実施形態においては、ベース１１と最下段の棚板１２との間、下から２段目の棚板１３と３段目の棚板１４との間、及び下から４段目の棚板１５と最上段の棚板１６との間においては、一方の側壁部材１７の後端から前記後壁部材１９が延出させてあり、最下段の棚板１２と下から２段目の棚板１３との間、及び下から３段目の棚板１４と４段目の棚板１５との間においては、他方の側壁部材１７の前端から前記前壁部材１８が延出させてある。各側壁部材１７の内面には、配線挿通用の凹溝１７ａが形成されており、各棚板１２〜１６の前記凹溝１７ａに対応する部位には、配線挿通用の貫通孔１２ｘ〜１６ｘが設けられている。前記各凹溝１７ａは、蓋体１７ｂにより常時開閉可能に塞がれている。また、前記各凹溝１７ａは、前記ベース１１の内部に連通している。そして、図２、図４及び図７に示すように、最上段の棚板１６の上面には、前記貫通穴１６ｘを介して前記凹溝１７ａに連通する水平溝１６ｙが形成されており、この水平溝１６ｙに間接照明用の照明器具等を取り付けることができるようにしてある。符号１６ｚは、照明器具取付用のブラケットである。
【００２５】
一方、前記第２のシェルフ２は、図１〜図３及び図５〜図７に示すように、平面視四角形状をなす前記ベース２１と、このベース２１上に奥行方向中央を合致させて配された平面視四角形状をなす前記棚板２２〜２６と、前記ベース２１と最下段の棚板２２との間及び各棚板２２〜２６の間にそれぞれ介設させた前記立壁２７〜２９とを具備してなる。
【００２６】
前記ベース２１は、図１〜図３及び図５〜図７に示すように、具体的には、奥行寸法よりも幅寸法が大きい平面視長方形状をなし、底面側が開放された扁平箱型のもので、底面四隅にアジャスタ２１１が設けられている。前記ベース２１の上面中央部には内部にアクセスするための窓２１ｘが形成されており、その窓は蓋体２１２により常時塞がれている。
【００２７】
前記棚板２２〜２６は、図１〜図３及び図５〜図７に示すように、具体的には、それぞれ奥行寸法よりも幅寸法が大きい平面視長方形状をなす板状のものである。各棚板２２〜２６は、平面視において同一の寸法形状をなすもので、上下方向に間隔をあけて複数枚が配されている。このシェルフ２の奥行方向両端側においても、前記ベース２１の奥行方向両端面２１ａ、２１ｂが、前記棚板２２〜２６の対応する奥行方向の端面２２ａ〜２６ａ、２２ｂ〜２６ｂよりもそれぞれ所定の共通平面視寸法ｄ１だけ外側に位置するように設定してある。また、このシェルフ２の幅方向一端側においては、前記ベース２１の端面２１ｃを前記共通平面視寸法ｄ１だけ前記棚板２２〜２６の端面２２ｃ〜２６ｃよりも内側に位置させており、他端側においては、前記ベース２１の端面２１ｄを前記棚板２２〜２６の端面２２ｄ〜２６ｄと平面視において一致させてある。これらの棚板２２〜２６の奥行き寸法は、前記第１のシェルフ１の棚板１２〜１６の奥行き寸法と同一である。
【００２８】
前記立壁２７〜２９は、図１、図３、図５及び図６に示すように、平面視において前記棚板２２〜２６の外縁よりも内側に位置し、前記棚板２２〜２６の幅方向両端近傍に配された両側壁部材２７と、一方の側壁部材２７のシェルフ奥行方向一端から前記シェルフ幅方向に延びる前壁部材２８又は後壁部材２９とを備えている。この実施形態においては、ベース２１と最下段の棚板２２との間、下から２段目の棚板２３と３段目の棚板２４との間、及び下から４段目の棚板２５と最上段の棚板２６との間においては、一方の側壁部材２７の後端から前記後壁部材２９が延出させてあり、最下段の棚板２２と下から２段目の棚板２３との間、及び下から３段目の棚板２４と４段目の棚板２５との間においては、他方の側壁部材２７の前端から前記前壁部材２８が延出させてある。各側壁部材２７の内面には、配線挿通用の凹溝２７ａが形成されており、各棚板２２〜２６の前記凹溝２７ａに対応する部位には、配線挿通用の貫通孔２２ｘ〜２６ｘが設けられている。前記各凹溝２７ａは、蓋体２７ｂにより常時開閉可能に塞がれている。また、前記各凹溝２７ａは、前記ベース２１の内部に連通している。そして、図２、図５及び図７に示すように、最上段の棚板２６の上面には、前記貫通孔２６ｘを介して前記凹溝２７ａに連通する水平溝２６ｙが形成されており、この水平溝２６ｙに間接照明用の照明器具等を取り付けることができるようにしてある。符号２６ｚは、照明器具取付用のブラケットである。
【００２９】
ここで、図１は、前記第１及び第２のシェルフ１、２を前記並行配置状態（Ｐ）としたときの斜視図であり、第１のシェルフ１のベース１１の上面と第２のシェルフ２のベース２１の上面とには、区別しやすくするために相互に異なったパターンを付してある。図２は、同じく前記第１及び第２のシェルフ１、２を前記並行配置状態（Ｐ）としたときの平面図であり、各ベース１１、２１の上面には、図１に対応するパターンが付してある。図３は、前記第１及び第２のシェルフ１、２を前記並行配置状態（Ｐ）から若干引き離した状態を示す斜視図である。図４は、前記第１のシェルフ１を示す説明図であり、（ａ）は正面図、（ｂ）は平面図、（ｃ）は右側面図である。図５は、前記第２のシェルフ２を示す説明図であり、（ａ）は正面図、（ｂ）は平面図、（ｃ）は右側面図である。図６は、前記第１及び第２のシェルフを前記直角配置状態（Ｒ）としたときの斜視図である。図７は、同じく前記第１及び第２のシェルフ１、２を前記直角配置状態（Ｒ）としたときの平面図である。図３〜図７においても、各ベース１１、２１の上面には、図１に対応するパターンが付してある。
【００３０】
以上のように、かかる第１、第２のシェルフ１、２を備えたシェルフシステムＳによれば、付属の部品を一切用いることなしに、隙間なく並行配置状態（Ｐ）と直角配置状態（Ｒ）とを自在に選択して設置することができる。
【００３１】
すなわち、前記並行配置状態（Ｐ）においては、図１及び図２に示すように、前記第１のシェルフ１のベース１１の幅方向一端側の端面１１ｃと前記第２のシェルフ２のベース２１の幅方向一端側の端面２１ｃとが密に当接するとともにこの当接位置に対して平面視における前記共通平面視寸法ｄ１だけシェルフ幅方向に変位した位置で対応する棚板１２〜１６、２２〜２６の端面１２ｃ〜１６ｃ、２２ｃ〜２６ｃ同士が密に当接することになる。そして、この状態では、相互に同一奥行寸法をなす第１のシェルフ１のベース１１と第２のシェルフ２のベース２１とが直線的に連続するとともに、相互に同一奥行寸法をなす第１のシェルフ１の棚板１２〜１６と第２のシェルフ２の棚板２２〜２６とが直線的に連続することになる。なお、このように配置した第１、第２のシェルフ１、２の開放端側すなわち幅方向他端側では、ベース１１、２１の端面１１ｄ、２１ｄと棚板１２〜１６、２２〜２６の端面１２ｄ〜１６ｄ、２２ｄ〜２６ｄとが平面視において一致しているため、これらの端面１２ｄ〜１６ｄ、２２ｄ〜２６ｄに通常のシェルフを隣接配置してもよい。すなわち、ここでいう通常のシェルフとは、幅方向両端側においてベースの端面と棚板の端面とが一致しているシェルフを意味する。
【００３２】
一方、前記直角配置状態（Ｒ）においては、図６及び図７に示すように、前記第１のシェルフ１のベース１１の奥行方向一端側の端面１１ａと前記第２のシェルフ２のベース２１の幅方向一端側の端面２１ｃとが密に当接するとともにこの当接位置に対して平面視における前記共通平面視寸法ｄ１だけ第２のシェルフ２における幅方向に変位した位置で対応する棚板１２〜１６、２２〜２６の端面１２ａ〜１６ａ、２２ｃ〜２６ｃの同士が密に当接することになる。そして、この状態では、前記第１のシェルフ１のベース１１の幅方向一端側の端面１１ｃと前記第２のシェルフ２のベース２１の奥行方向他端側の端面２１ｂとが連続しているとともに、前記第１のシェルフ１の棚板１２〜１６の幅方向一端側の端面１２ｃ〜１６ｃと前記第２のシェルフ２の棚板２２〜２６の奥行方向他端側の端面２２ｂ〜２６ｂとも連続している。そして、この実施形態においては、前記ベース１１、２１の奥行寸法が、前記棚板１２〜１６、２２〜２６の奥行寸法よりも大きいので、ベース及び棚板の奥行寸法を等しく設定した従来のシェルフと比較してより安定した配置が可能になる。
【００３３】
なお、図６及び図７では、第１、第２のシェルフ１、２を平面視Ｌ字状に配置した状態を説明したが、図８に示すように、第１、第２のシェルフ１、２を平面視Ｔ字状に配置してもよい。
【００３４】
また、以上説明した実施形態では、第１、第２のシェルフの一端側のみを凹凸形状とし、他端側はベースの端面と棚板の端面とを一致させた場合について説明したが、例えば、図９に示すような、幅方向一端側においてはベース３１の端面３１ｃを前記共通平面視寸法ｄ１だけ棚板３２〜３６の端面３２ｃ〜３６ｃよりも外側に位置させ、幅方向他端側においてはベース３１の端面３１ｄを前記共通平面視寸法ｄ１だけ棚板３２〜３６の端面３２ｄ〜３６ｄよりも内側に位置させたシェルフ３を、複数組み合わせて構成したシェルフシステムであっても、同様の効果を得ることができる。なお、前記シェルフ３における、上述した実施形態のシェルフ１、２におけるものに対応する各部位には、同一の名称及び符号を付して詳細な説明は省略する。
【００３５】
なお、本発明は以上に述べた実施形態に限らない。
【００３６】
例えば、ベース上に配する棚板の枚数及び棚板間の距離は任意であり、また、前記ベースと最下段の棚板との間及び各棚板の間にそれぞれ立壁を介設するか否かも任意である。但し、前記実施形態のように構成したものであれば、シェルフを並行配置状態及び直角配置状態のいずれに配しても、全ての棚板の端面同士が密に当接することとなるので見栄えを整えることができるとともに、立壁を介設することにより、該立壁をブックエンドとして機能させる等して棚板上に物品を見栄え良く配置することができる。また、前記立壁が、平面視において前記棚板の外縁よりも内側に位置しているものであれば、シェルフの配置を変更する際に立壁が妨げとならない。加えて、前記実施形態のように、前記立壁が、前記棚板の幅方向両端近傍に配された両側壁部材と、一方の側壁部材のシェルフ奥行方向一端から前記シェルフ幅方向に延びる前壁部材又は後壁部材とを備えたものであれば、両側壁部材をブックエンドとして機能させることや、前壁部材又は後壁部材を空間の仕切板として機能させることもできる。
【００３７】
その他、本発明の趣旨を損ねない範囲で種々に変更してよい。
【符号の説明】
【００３８】
Ｓ…シェルフシステム
１…第１のシェルフ
１１…第１のシェルフのベース
１１ａ、１１ｂ…第１のシェルフのベースの奥行方向端面
１１ｃ…第１のシェルフのベースの幅方向一端側の端面
１１ｄ…第１のシェルフのベースの幅方向他端側の端面
１２〜１６…第１のシェルフの棚板
１２ａ〜１６ａ、１２ｂ〜１６ｂ…第１のシェルフの棚板の奥行方向端面
１２ｃ〜１６ｃ…第１のシェルフの棚板の幅方向一端側の端面
１２ｄ〜１６ｄ…第１のシェルフの棚板の幅方向他端側の端面
２…第２のシェルフ
２１…第２のシェルフのベース
２１ａ、２１ｂ…第２のシェルフのベースの奥行方向端面
２１ｃ…第２のシェルフのベースの幅方向一端側の端面
２１ｄ…第２のシェルフのベースの幅方向他端側の端面
２２〜２６…第２のシェルフの棚板
２２ａ〜２６ａ、２２ｂ〜２６ｂ…第２のシェルフの棚板の奥行方向端面
２２ｃ〜２６ｃ…第２のシェルフの棚板の幅方向一端側の端面
２２ｄ〜２６ｄ…第２のシェルフの棚板の幅方向他端側の端面
ｄ１…共通平面視寸法
（Ｐ）…並行配置状態
（Ｒ）…直角配置状態
【図１】
2019025101.tif 000003
【図２】
2019025101.tif 000004
【図３】
2019025101.tif 000005
【図４】
2019025101.tif 000006
【図５】
2019025101.tif 000007
【図６】
2019025101.tif 000008
【図７】
2019025101.tif 000009
【図８】
2019025101.tif 000010
【図９】
2019025101.tif 000011